(57)【要約】【課題】保管時に省スペース化を図ることができる保温構造体を提供する。【解決手段】保温構造体２は、板状の断熱部材４１と、断熱部材４１の板厚方向における一方の面上に配置される被覆層４３と、を含み、底板１１および側板１０を含む箱の形状に折り曲げ可能な保温構造体２であって、底板１１に対応する領域である底板構成領域２１と、側板１０に対応する領域であって、底板構成領域２１との境界部分である第一の境界部分において被覆層４３で接続される外側板構成領域２４と、外側板構成領域２４における第一の境界部分２４Ａとは異なる第二の境界部分２４Ｂにおいて被覆層４３で接続され、第二の境界部分２４Ｂで折り曲げた際に外側板構成領域２４に対して箱の内側で重なるように設けられる内側板構成領域２５と、を含む側板構成領域２２と、内側板構成領域２５が外側板構成領域２４に重ねられた状態を保持する保持部３１と、を備える。【選択図】図１
2019196215.tif 000002
【特許請求の範囲】
【請求項１】
板状の断熱部材と、前記断熱部材の板厚方向における一方の面上に配置される被覆層と、を含み、底板および側板を含む箱の形状に折り曲げ可能な保温構造体であって、
前記底板に対応する領域である底板構成領域と、
前記側板に対応する領域であって、前記底板構成領域との境界部分である第一の境界部分において前記被覆層で接続される外側板構成領域と、前記外側板構成領域における前記第一の境界部分とは異なる第二の境界部分において前記外側板構成領域と前記被覆層で接続され、前記第二の境界部分で折り曲げた際に前記外側板構成領域に対して前記箱の内側で重なるように配置される内側板構成領域と、を含む側板構成領域と、
前記内側板構成領域が前記外側板構成領域に重ねられた配置状態を保持する保持部と、を備える、保温構造体。
【請求項２】
前記保持部は、前記内側板構成領域に設けられ、板厚方向に対して垂直な面に沿う方向に突出する突起部と、前記突起部を受け入れる受け入れ凹部と、を含む、請求項１に記載の保温構造体。
【請求項３】
前記外側板構成領域における前記第二の境界部分とは異なる第三の境界部分において前記外側板構成領域と前記被覆層で接続されており、前記第三の境界部分で折り曲げた際に前記箱の内部の空間を仕切る内部空間配置領域を含み、前記箱の内部空間を仕切る仕切り構成領域をさらに備える、請求項１または請求項２に記載の保温構造体。
【請求項４】
前記内部空間配置領域には、板厚方向に貫通する貫通孔が形成されている、請求項３に記載の保温構造体。
【請求項５】
前記内部空間配置領域が前記箱の内部の空間を仕切る状態を維持する仕切り状態維持部をさらに備える、請求項３または請求項４に記載の保温構造体。
【請求項６】
前記外側板構成領域を前記第一の境界部分で折り曲げた際に、前記外側板構成領域が前記底板構成領域に対して立設した状態を維持する立設状態維持部をさらに備える、請求項１〜５のいずれか１項に記載の保温構造体。
【請求項７】
前記箱は、直方体形状であって、前記底板と対向する位置に配置される天板を含み、
前記天板に対応する領域である天板構成領域をさらに備え、
前記底板構成領域は、板厚方向から平面的に見て、矩形状に割り当てられており、
前記外側板構成領域は、第一の外側板構成領域と、第二の外側板構成領域と、第三の外側板構成領域と、第四の外側板構成領域と、を含み、
前記第一の外側板構成領域、前記第二の外側板構成領域、前記第三の外側板構成領域および前記第四の外側板構成領域は、それぞれ前記底板構成領域の各辺に相当する部分において、前記被覆層で接続されており、
前記内側板構成領域は、前記第一の外側板構成領域、前記第二の外側板構成領域、前記第三の外側板構成領域、および前記第四の外側板構成領域のうちの少なくともいずれか１つの前記第二の境界部分において、前記被覆層で接続されている、請求項１〜請求項６のいずれか１項に記載の保温構造体。
【請求項８】
前記外側板構成領域は、前記第一の外側板構成領域、前記第二の外側板構成領域、前記第三の外側板構成領域、および前記第四の外側板構成領域のそれぞれを前記第一の境界部分で折り曲げた際に、前記第一の外側板構成領域と前記第三の外側板構成領域とが対向すると共に、前記第二の外側板構成領域と前記第四の外側板構成領域とが対向するように配置されており、
前記内側板構成領域は、前記第一の外側板構成領域の前記第二の境界部分において、前記第一の外側板構成領域と前記被覆層で接続され、前記第二の境界部分で折り曲げた際に前記第一の外側板構成領域に対して前記箱の内側で重なるように配置される第一の内側板構成領域と、前記第三の外側板構成領域の前記第二の境界部分において、前記第三の外側板構成領域と前記被覆層で接続され、前記第二の境界部分で折り曲げた際に前記第三の外側板構成領域に対して前記箱の内側で重なるように配置される第三の内側板構成領域と、を含む、請求項７に記載に保温構造体。
【請求項９】
前記外側板構成領域は、前記第一の外側板構成領域、前記第二の外側板構成領域、前記第三の外側板構成領域、および前記第四の外側板構成領域のそれぞれを前記第一の境界部分で折り曲げた際に、前記第一の外側板構成領域と前記第三の外側板構成領域とが対向すると共に、前記第二の外側板構成領域と前記第四の外側板構成領域とが対向するように配置されており、
前記内側板構成領域は、前記第一の外側板構成領域の前記第二の境界部分において、前記第一の外側板構成領域と前記被覆層で接続され、前記第二の境界部分で折り曲げた際に前記第四の外側板構成領域に対して前記箱の内側で重なるように配置される第二の内側板構成領域と、前記第三の外側板構成領域の前記第二の境界部分において、前記第三の外側板構成領域と前記被覆層で接続され、前記第二の境界部分で折り曲げた際に前記第四の外側板構成領域に対して前記箱の内側で重なるように配置される第四の内側板構成領域と、を含み、
前記立設状態維持部は、前記第二の内側板構成領域および前記第三の内側板構成領域に形成されており、嵌め合うことで前記第一の外側板構成領域および前記第三の外側板構成領域を前記底板構成領域に対して立設させた状態を維持する凹凸構造を含み、
前記凹凸構造は、嵌め合うことで前記第一の内側板構成領域および前記第二の内側板構成領域を前記第四の外側板構成領域に重ねた配置状態を保持する保持部を兼ねている、請求項７または請求項８に記載の保温構造体。
【請求項１０】
前記凹凸構造は、前記第一の内側板構成領域および前記第二の内側板構成領域のうちのいずれか１つに形成され、板厚方向に対して垂直な面に沿う方向に突出する嵌め込み部と、前記嵌め込み部を受け入れる嵌め込み凹部と、を含む、請求項９に記載の保温構造体。
【発明の詳細な説明】
【技術分野】
【０００１】
この発明は、保温構造体に関するものである。
【背景技術】
【０００２】
ケーキや洋菓子等、保冷を要する物体を持ち運ぶ際に、保冷容器や保冷箱が用いられる場合がある（たとえば、特許文献１参照）。
【０００３】
特許文献１に開示の包装用紙箱は、箱本体の天壁又は側壁の外側に保冷材等を収納するポケット部を備え、ポケット部を備えた天壁又は側壁に、箱本体内とポケット部とに連通する１ないし複数個の空気流通孔が設けられていることを特徴とする。
【先行技術文献】
【特許文献】
【０００４】
【特許文献１】特開２００９−１９６６６９号公報
【発明の概要】
【発明が解決しようとする課題】
【０００５】
ケーキ等を収容する保冷箱は、使用しないときには出来るだけ保管スペースを小さくして保管できることが望ましい。また、製造コストの観点から、製造工程を出来るだけ簡略化できることが望ましい。さらに、断熱性能も出来るだけ高いことが望ましい。特許文献１に開示の技術では、このような場合に対応することが困難である。
【０００６】
この発明の目的は、効率的な保管を図ることができると共に断熱性の向上を図ることができ、製造コストの低減を実現することができる保温構造体を提供することである。
【課題を解決するための手段】
【０００７】
この発明に係る保温構造体は、板状の断熱部材と、断熱部材の板厚方向における一方の面上に配置される被覆層と、を含み、底板および側板を含む箱の形状に折り曲げ可能な保温構造体であって、底板に対応する領域である底板構成領域と、側板に対応する領域であって、底板構成領域との境界部分である第一の境界部分において被覆層で接続される外側板構成領域と、外側板構成領域における第一の境界部分とは異なる第二の境界部分において外側板構成領域と被覆層で接続され、第二の境界部分で折り曲げた際に外側板構成領域に対して箱の内側で重なるように配置される内側板構成領域と、を含む側板構成領域と、内側板構成領域が外側板構成領域に重ねられた配置状態を保持する保持部と、を備える。
【０００８】
このような構成の保温構造体によれば、第一の境界部分で外側板構成領域を折り曲げ、第二の境界部分で内側板構成領域を折り曲げることで、容易に底板と側板とを含む箱の形状とすることができる。使用しない状態においては、薄い板状のまま複数枚を積み重ねることができ、かさばらないようにして効率的な保管を図ることができる。外側板構成領域と内側板構成領域とが重ねられた側板は、複数の板状部材から構成されているため、箱の断熱性の向上を図ることができる。内側板構成領域は、保持部によって重ねられた配置状態が保持されているため、箱の内部空間に収容される物体と側板との干渉を避けることができる。このような保温構造体は、第一の境界部分および第二の境界部分について被覆層を残しながら、保温構造体の外形形状の全体を切り落とすようにして、刃を有する部材で板厚方向に打ち抜いて製造することができる。したがって、製造工程の簡略化を図ることができ、製造コストの低減を図ることができる。その結果、このような保温構造体は、効率的な保管を図ることができると共に断熱性の向上を図ることができ、製造コストの低減を実現することができる。
【０００９】
上記保温構造体では、保持部は、内側板構成領域に設けられ、板厚方向に対して垂直な面に沿う方向に突出する突起部と、突起部を受け入れる受け入れ凹部と、を含むようにしてもよい。このような構成とすることで、突起部を受け入れ凹部に嵌め込むことにより、内側板構成領域の折り曲げ方向への移動を規制することができる。
【００１０】
上記保温構造体は、外側板構成領域における第二の境界部分とは異なる第三の境界部分において外側板構成領域と被覆層で接続されており、第三の境界部分で折り曲げた際に箱の内部の空間を仕切る内部空間配置領域を含み、箱の内部空間を仕切る仕切り構成領域をさらに備えるようにしてもよい。このような構成とすることで、第三の境界部分で折り曲げた際に箱の内部に内部空間配置領域によって仕切られた複数の領域を形成することができる。このため、仕切られた複数の空間にそれぞれ物体を入れることができる。また、保温構造体として一体で製造されるため、円滑な組み立てが容易となる。
【００１１】
上記保温構造体は、内部空間配置領域には、厚み方向に貫通する貫通孔が形成されているようにしてもよい。このような構成とすることで、例えば、仕切られた内部空間のうち保冷を要する物体を配置する領域と、保冷剤が配置される領域とを離隔して配置し、保冷剤から発せられる冷気を、保冷を要する物体が収容される空間に送ることができる。
【００１２】
上記保温構造体は、内部空間配置領域が箱の内部の空間を仕切る状態を維持する仕切り状態維持部をさらに備えるようにしてもよい。このような構成とすることで、仕切り状態維持部により内部空間配置領域によって仕切られた状態をより確実に維持することができる。したがって、仕切られた各空間の容積が変わることを防ぐことができる。
【００１３】
上記保温構造体では、外側板構成領域を第一の境界部分で折り曲げた際に、外側板構成領域が底板構成領域に対して立設した状態を維持する立設状態維持部をさらに備えるようにしてもよい。このような構成とすることで、外側板構成領域は、第一の境界部分で折り曲げられて立設した状態を維持することができる。このため、例えば、箱の内部空間に物体を収容させる際に、側板の一部を立設した状態を適切に維持することができる。このため、例えば、箱の内部空間に収容されるべき物体を円滑に収容させることができる。
【００１４】
上記保温構造体において、箱は、直方体形状であって、底板と対向する位置に配置される天板を含み、上記保温構造体は、天板に対応する領域である天板構成領域をさらに備え、底板構成領域は、板厚方向から平面的に見て、矩形状に割り当てられており、外側板構成領域は、第一の外側板構成領域と、第二の外側板構成領域と、第三の外側板構成領域と、第四の外側板構成領域と、を含み、底板構成領域の各辺に相当する部分において、それぞれ被覆層で接続されており、内側板構成領域は、第一の外側板構成領域、第二の外側板構成領域、第三の外側板構成領域、および第四の外側板構成領域のうちの少なくともいずれか１つの第二の境界部分において、被覆層で接続されているようにしてもよい。このような構成とすることで、保温構造体を直方体形状の箱状に折り曲げた際に、物体を収容することができる十分な空間を内部に形成することができる。
【００１５】
上記保温構造体において、外側板構成領域は、第一の外側板構成領域、第二の外側板構成領域、第三の外側板構成領域、および第四の外側板構成領域のそれぞれを第一の境界部分で折り曲げた際に、第一の外側板構成領域と第三の外側板構成領域とが対向すると共に、第二の外側板構成領域と第四の外側板構成領域とが対向するように配置されており、内側板構成領域は、第一の外側板構成領域の第二の境界部分において、第一の外側板構成領域と被覆層で接続され、第二の境界部分で折り曲げた際に第一の外側板構成領域に対して箱の内側で重なるように配置される第一の内側板構成領域と、第三の外側板構成領域の第二の境界部分において、第三の外側板構成領域と被覆層で接続され、第二の境界部分で折り曲げた際に第三の外側板構成領域に対して箱の内側で重なるように配置される第三の内側板構成領域と、を含むようにしてもよい。このような構成とすることで、少なくとも２つの側板において外側板構成領域と内側板構成領域とが重ねられた配置状態とすることができる。このため、箱の断熱性をより向上させることができる。
【００１６】
上記保温構造体において、外側板構成領域は、第一の外側板構成領域、第二の外側板構成領域、第三の外側板構成領域、および第四の外側板構成領域のそれぞれを第一の境界部分で折り曲げた際に、第一の外側板構成領域と第三の外側板構成領域とが対向すると共に、第二の外側板構成領域と第四の外側板構成領域とが対向するように配置されている。内側板構成領域は、第一の外側板構成領域の第二の境界部分において、第一の外側板構成領域と被覆層で接続され、第二の境界部分で折り曲げた際に第四の外側板構成領域に対して箱の内側で重なるように配置される第二の内側板構成領域と、第三の外側板構成領域の第二の境界部分において、第三の外側板構成領域と被覆層で接続され、第二の境界部分で折り曲げた際に第四の外側板構成領域に対して箱の内側で重なるように配置される第四の内側板構成領域と、を含む。立設状態維持部は、第二の内側板構成領域および第三の内側板構成領域に形成されており、嵌め合うことで第一の外側板構成領域および第三の外側板構成領域を底板構成領域に対して立設させた状態を維持する凹凸構造を含み、凹凸構造は、嵌め合うことで第一の内側板構成領域および第二の内側板構成領域を第四の外側板構成領域に重ねた配置状態を保持する保持部を兼ねている。凹凸構造を嵌め合わせるにより、第一の外側板構成領域および第三の外側板構成領域が底板構成領域に対して立設した一定の形態を維持することができると共に、第二の内側板構成領域および第四の内側板構成領域が第四の外側板構成領域に重ねられた配置状態を保持することができる。このため、側板の一部を立設した状態を維持しながら、箱の内部空間に収容されるべき物体を円滑に収容させることができる。また、箱の内部空間に収容される物体と側板との干渉を防ぎつつ、箱の断熱性を向上させることができる。
【００１７】
上記保温構造体では、凹凸構造は、第二の内側板構成領域および第四の内側板構成領域のうちのいずれか１つに形成され、板厚方向に対して垂直な面に沿う方向に突出する嵌め込み部と、嵌め込み部を受け入れる嵌め込み凹部と、を含むようにしてもよい。このような構成とすることで、嵌め込み部を嵌め込み凹部に嵌め込むことにより、第二の内側板構成領域および第四の内側板構成領域の折り曲げ方向への移動を規制することができる。
【発明の効果】
【００１８】
このような保温構造体によると、効率的な保管を図ることができると共に断熱性の向上を図ることができ、製造コストの低減を実現することができる保温構造体を提供することができる。
【図面の簡単な説明】
【００１９】
【図１】この発明の一実施形態に係る保温構造体を示す概略平面図である。
【図２】図１に示す保温構造体を裏面側から見た時の保温構造体を示す概略平面図である。
【図３】保温構造体の一部の概略断面図である。
【図４】保温箱の斜視図である。
【図５】保温箱の正面図である。
【図６】保温箱の背面図である。
【図７】保温箱の左側面図である。
【図８】保温箱の右側面図である。
【図９】保温箱の平面図である。
【図１０】保温箱の底面図である。
【図１１】第一の内側板構成領域および第二の内側板構成領域を示す概略平面図である。
【図１２】第三の内側板構成領域および第四の内側板構成領域を示す概略平面図である。
【図１３】保温構造体を保温箱に組み立てる際の工程を示すフローチャートである。
【図１４】保温構造体の第一の内側板構成領域および第三の内側板構成領域を折り曲げた状態の中間体を示す斜視図である。
【図１５】第一の外側板構成領域および第三の外側板構成領域を立設させた状態の中間体を示す斜視図である。
【図１６】第二の内側板構成領域および第四の内側板構成領域が折り曲げられた状態の中間体を示す斜視図である。
【図１７】内部空間配置領域が折り曲げられた状態の中間体を示す斜視図である。
【図１８】保温構造体を保管するために折り畳んだ状態の一例を示す斜視図である。
【図１９】扉部が開いた状態を示す斜視図である。
【発明を実施するための形態】
【００２０】
次に、この発明の一実施形態に係る保温構造体の構成について説明する。以下の図面において同一または相当する部分には同一の参照番号を付しその説明は繰返さない。図１は、この発明の一実施形態に係る保温構造体を示す概略平面図である。図２は、図１に示す保温構造体を裏面側から見た時の保温構造体を示す概略平面図である。図２は、図１のＺ軸方向を示す矢印の向きとは反対の向きから保温構造体を見たときの図である。
【００２１】
図１および図２を参照して、保温構造体２は、板状部材である。所定の厚みを有する一枚の保温構造体２を箱状に折り曲げて、後述する保温箱が形成される。すなわち、保温構造体２は、内部空間の温度を一定に保つ保温箱に折り曲げて組み立てる前の状態の構造体である。図１および図２において、Ｚ軸方向は、保温構造体２の板厚方向である。なお、保温構造体２の構成については、後述する。
【００２２】
図３は、保温構造体２の一部の概略断面図である。図３を参照して、保温構造体２は、板状の断熱部材４１と、第一の被覆層４２と、第二の被覆層４３と、を含む。断熱部材４１は、Ｚ軸方向における一方側の面である第一の面４１１と、Ｚ軸方向の他方側の面である第二の面４１２と、を含む。第一の被覆層４２は、断熱部材４１の第一の面４１１を覆うように配置される。第二の被覆層４３は、断熱部材４１の第二の面４１２を覆うように配置される。本実施の形態においては、断熱部材４１は、発泡部材であり、例えば、発泡部材の材質は発泡ポリスチレン樹脂である。本実施の形態において、第一の被覆層４２および第二の被覆層４３は紙であり、例えばクラフト紙やコート紙等である。第一に被覆層４２および第二の被覆層４３は、断熱部材４１に接着剤等により貼り合わせられている。本実施の形態においては、保温構造体２のＺ軸方向における厚みＳ１は、例えば５ｍｍである。なお、理解の容易の観点から、第一の被覆層４２、第二の被覆層４３の厚みを誇張して厚く図示している。
【００２３】
保温構造体２は、断熱部材４１と、第一の被覆層４２と、第二の被覆層４３と、を含む一枚の積層部材を、刃を有する部材によりＺ軸方向を示す矢印の向きに打ち抜いて製造される。保温構造体２の外形形状に対応する部分は、断熱部材４１、第一の被覆層４２および第二の被覆層４３の全体を打ち抜いて形成される。保温構造体２を折り曲げる部分は、例えば、刃を有する部材を第一の被覆層４２の外方側に露出する面４１３側から押し当て、第二の被覆層４３を残し、第一の被覆層４２および断熱部材４１を切断するようにして形成される。この時の切断箇所は、破断部Ｔで示される。保温構造体２の外形形状に対応する部分、および折り曲げる部分の打ち抜き加工は同時に行ってもよいし、またはそれぞれ分けて行ってもよい。なお、図１および図２において、理解の容易の観点から、第二の被覆層４３のみで接続されている部分を破線で示している。
【００２４】
図４は、保温構造体２を箱状に折り曲げた保温箱の斜視図である。図５は、保温箱の正面図である。図５は、図４のＹ軸方向を示す矢印の向きから保温箱を見た時の図である。図６は、保温箱の背面図である。図６は、図４のＹ軸方向を示す矢印の向きとは反対の向きから保温箱を見た時の図である。図７は、保温箱の左側面図である。図７は、図４のＸ軸方向を示す矢印の向きから保温箱を見た時の図である。図８は、保温箱の右側面図である。図８は、図１のＸ軸方向を示す矢印の向きとは反対の向きから保温箱を見た時の図である。図９は、保温箱の平面図である。図９は、図１のＺ軸方向を示す矢印の向きとは反対の向きから保温箱を見た時の図である。図１０は、保温箱の底面図である。図１０は、図４のＺ軸方向を示す矢印の向きから保温箱を見た時の図である。図４〜図１０は、板状部材である保温構造体２を箱状に折り曲げて、保温箱とした状態を示している。なお、図１および図２は、保温箱１を板状に展開した時の展開図に相当する。
【００２５】
図４〜図１０を参照して、保温箱１は、所定の厚みを有する一枚の保温構造体２を折り曲げて形成される。保温箱１は、組み立てられた後において、直方体形状である。保温箱１は、その内部の空間に保温を要する物体を収容可能である。本実施の形態においては、保温箱１の内部の空間には保冷用の物体、例えば、ケーキや洋菓子を収容可能である。
【００２６】
保温箱１は、それぞれ平板状である側板１０と、底板１１と、天板１６と、を含む。側板１０は、第一の側板１２と、第二の側板１３と、第三の側板１４と、第四の側板１５と、を含む。第一の側板１２と、第三の側板１４とは、対をなし、Ｘ軸方向に間隔をあけて平行に配置される。第二の側板１３と、第四の側板１５とは、対をなし、Ｙ軸方向に間隔をあけて平行に配置される。底板１１と、天板１６とは、Ｚ軸方向に間隔をあけて平行に配置される。本実施の形態において、保温箱１のＹ軸方向で示す横方向の長さＭ１は例えば２３５ｍｍであり、Ｘ軸方向で示す縦方向の長さＭ２は例えば２１０ｍｍであり、Ｚ軸方向で示す高さ方向の長さＭ３は例えば１１５ｍｍである。
【００２７】
次に保温構造体２の構成について説明する。再び、図１および図２を参照して、保温構造体２は、底板１１に対応する領域である底板構成領域２１と、側板１０に対応する領域である側板構成領域２２と、天板１６に対応する領域である天板構成領域２３と、保温箱１の内部空間を仕切るための仕切り構成領域２８と、を含む。
【００２８】
底板構成領域２１は、Ｚ軸方向から平面的に見て、矩形状である。すなわち、底板構成領域２１は、それぞれ直線状の４つの辺２１１、２１２、２１３、２１４を有する。第一の辺２１１と、第三の辺２１３とは対をなし、Ｘ軸方向に間隔をあけて平行に配置される。第二の辺２１２と、第四の辺２１４とは対をなし、Ｙ軸方向に間隔をあけて平行に配置される。なお、第二の辺２１２と、第四の辺２１４とのＹ軸方向における長さＬ１は、長さＭ１より厚みＳ１の２倍の長さ分だけ短い。本実施の形態において、長さＬ１は例えば２２５ｍｍである。第一の辺２１１と、第三の辺２１３とのＸ軸方向における長さＬ２は、長さＭ２より厚みＳ１の２倍の長さ分だけ短い。本実施の形態において、長さＬ２は例えば２００ｍｍである。
【００２９】
側板構成領域２２は、保温箱１の外側に露出する外側板構成領域２４と、保温箱１の内側に配置される内側板構成領域２５と、を含む。外側板構成領域２４は、第一の外側板構成領域２４１と、第二の外側板構成領域２４２と、第三の外側板構成領域２４３と、第四の外側板構成領域２４４と、を含む。第一の外側板構成領域２４１は、折り曲げられることで第一の側板１２の一部を構成する。第二の外側板構成領域２４２は、折り曲げられることで第二の側板１３を構成する。第三の外側板構成領域２４３は、折り曲げられることで第三の側板１４の一部を構成する。第四の外側板構成領域２４４は、折り曲げられることで第四の側板１５の一部を構成する。第一の外側板構成領域２４１は、第一の辺２１１に対応する領域であって、底板構成領域２１との境界部分である第一の境界部分２４Ａにおいて、第二の被覆層４３のみで底板構成領域２１と接続されている。すなわち、第一の辺２１１において、第一の被覆層４２および断熱部材４１は切断されている。同様に、第二の外側板構成領域２４２、第三の外側板構成領域２４３および第四の外側板構成領域２４４は、第二の辺２１２、第三の辺２１３および第四の辺２１４のそれぞれに対応する領域であって、第一の境界部分２４Ａにおいて、第二の被覆層４３のみで底板構成領域２１と接続されている。このような構成とすることで、第一の境界部分２４Ａを支点として、第二の被覆層４３を内側にして、第一の外側板構成領域２４１〜第四の外側板構成領域２４４を折り曲げることができる。
【００３０】
第一の外側板構成領域２４１は、Ｚ軸方向から平面的に見て、略矩形状である。第一の外側板構成領域２４１の第四の外側板構成領域２４４が位置する側の端部２４１ａと、第一の外側板構成領域２４１の第二の外側板構成領域２４２が位置する側の端部２４１ｂとのＹ軸方向の長さＬ３は、長さＬ１よりも厚みＳ１分だけ短い。第一の外側板構成領域２４１の底板構成領域２１が位置する側の端部２４１ｃと、第一の外側板構成領域２４１の底板構成領域２１が位置する側とは反対側に位置する端部２４１ｄとのＸ軸方向の長さＬ４は、長さＭ３より厚みＳ１の長さ分だけ短い。本実施の形態において、長さＬ４は例えば１１０ｍｍである。端部２４１ａのＸ軸方向の中央には、Ｙ軸方向に突出する突出部５１が設けられている。突出部５１は、Ｚ軸方向から平面的に見て、３本の直交する直線から構成されている。突出部５１は、第一の外側板構成領域２４１の底板構成領域２１が位置する側の端部２４１ｃからＸ軸方向に長さＬ５の位置に設けられている。突出部５１は、端部２４１ａから厚みＳ１よりもやや長い長さＬ７分だけＹ軸方向に突出する。端部２４１ｂのＸ軸方向の中央には、Ｙ軸方向に突出する突出部５２が設けられている。Ｚ軸方向から平面的に見て、突出部５２は３本の直交する直線から構成されている。突出部５２は、端部２４１ｃからＸ軸方向に長さＬ１０の位置に設けられている。本実施の形態において、長さＬ１０は、長さＬ５と同じある。突出部５２のＸ軸方向の長さＬ１１は、突出部５１のＸ軸方向の長さＬ６と同じである。突出部５２は、端部２４１ｂからＹ軸方向に厚みＳ１分だけ突出している。なお、直線が交わる角部の形状は曲線状となっていてもよい。端部２４１ｄ側であって、端部２４１ａに近い側に位置するようにＸ軸方向に凹んだ凹部５４が形成されている。凹部５４は、端部２４１ｄから厚みＳ１分だけＸ軸方向に凹んでいる。本実施の形態において、凹部５４を規定する底部５４１のＹ軸方向の長さＬ９は、例えば２２ｍｍである。
【００３１】
第二の外側板構成領域２４２は、Ｚ軸方向から平面的に見て、略矩形状である。第二の外側板構成領域２４２の底板構成領域２１が位置する側の端部２４２ａと、底板構成領域２１が位置する側とは反対側の端部２４２ｂとのＹ軸方向の長さＬ１３は、長さＬ４より厚みＳ１分だけ短い。第二の外側板構成領域２４２の第一の外側板構成領域２４１が位置する側の端部２４２ｃと、第二の外側板構成領域２４２の第三の外側板構成領域２４３が位置する側の端部２４２ｄとのＸ軸方向の長さＬ１４は、長さＬ２より厚みＳ１の２倍の長さ分だけ長い。本実施の形態においては、長さＬ１４は、例えば２１０ｍｍである。端部２４２ｃのＹ軸方向の中央には、Ｘ軸方向に凹んだ凹部６５が形成されている。凹部６５は、端部２４２ａからＹ軸方向に長さＬ１５の位置に形成されている。本実施の形態においては、凹部６５を規定する底部６５１のＹ軸方向の長さＬ１６は、長さＬ１１と同じである。なお、長さＬ１６は、長さＬ１１よりもやや長くてもよい。凹部６５は、端部２４２ｃから厚みＳ１分だけＸ軸方向に凹んでいる。このようにすることで、第二の外側板構成領域２４２を折り曲げた際に、凹部６５には第一の外側板構成領域２４１に形成されている突出部５２が嵌め込むことができる。
【００３２】
第三の外側板構成領域２４３の形状は、図２に示す基準線Ｇを基準として第一の外側板構成領域２４１と線対称である。第三の外側板構成領域２４３は、Ｚ軸方向から平面的に見て、略矩形状である。第三の外側板構成領域２４３の第四の外側板構成領域２４４が位置する側の端部２４３ａのＸ軸方向の中央には、Ｙ軸方向に突出する突出部７１が設けられている。第三の外側板構成領域２４３の第二の外側板構成領域２４２が位置する側の端部２４３ｂのＸ軸方向の中央には、Ｙ軸方向に突出する突出部７２が設けられている。第三の外側板構成領域２４３の底板構成領域２１が位置する側とは反対側に位置する端部２４３ｄ側であって、端部２４１ａに近い側に位置するようにＸ軸方向に凹んだ凹部７４が形成されている。
【００３３】
第四の外側板構成領域２４４は、Ｚ軸方向から平面的に見て、略矩形状である。本実施の形態において、第四の外側板構成領域２４４のＸ軸方向の両端の間の長さＬ２は、例えば、２００ｍｍである。第四の外側板構成領域２４４の底板構成領域２１が位置する側の端部２４４ａと、底板構成領域２１が位置する側とは反対側の端部２４４ｂとのＹ軸方向の長さＬ１７は、長さＬ１３より厚みＳ１分だけ短い。本実施の形態において、長さＬ１７は、例えば、１００ｍｍである。
【００３４】
天板構成領域２３は、天板構成領域２３と第二の外側板構成領域２４２との境界部分である第二の境界部分２４Ｂにおいて、第二の被覆層４３のみで第二の外側板構成領域２４２と接続されている。このような構成とすることで、第二の被覆層４３を内側にして、第二の境界部分２４Ｂで天板構成領域２３を折り曲げることができる。
【００３５】
天板構成領域２３は、Ｚ軸方向から平面的に見て、略矩形状である。天板構成領域２３の第二の外側板構成領域２４２が位置する側の端部２３ａと、天板構成領域２３の第二の外側板構成領域２４２が位置する側とは反対側の端部２３ｂとのＹ軸方向の長さＬ１８は、長さＬ１より厚みＳ１分だけ長い。本実施の形態において、長さＬ１８は、例えば２３０ｍｍである。天板構成領域２３のＸ軸方向の両端の間の長さＬ２は、例えば、２００ｍｍである。天板構成領域２３のＸ軸方向の両端側にＸ軸方向に突出する一対の突出部２３１、２３２が形成されている。突出部２３１、２３２は、端部２３ｂに連なって設けられている。突出部２３１、２３２は、Ｚ軸方向から平面的に見て、３本の直交する直線から構成されている。突出部２３１、２３２のＹ軸方向の長さＬ１９は、長さＬ９より厚みＳ１の２倍の長さ分だけ長い。突出部２３１、２３２は、Ｘ軸方向の両端からそれぞれＸ軸方向に厚みＳ１分だけ突出している。このようにすることで、端部２３ａで天板構成領域２３を折り曲げた際に、天板構成領域２３の突出部２３１、２３２は、それぞれ第一の外側板構成領域２４１の凹部５４と、第三の外側板構成領域２４３の凹部７４とに嵌め込むことができる。
【００３６】
仕切り構成領域２８は、保温箱１の内部空間に配置される内部空間配置領域２７、および第四の外側板構成領域２４４と内部空間配置領域２７とを接続する接続部構成領域２６を含む。接続部構成領域２６は、Ｚ軸方向から平面的に見て、矩形状である。本実施の形態において、接続部構成領域２６の第四の外側板構成領域２４４が位置する側の端部２６ｂと、内部空間配置領域２７が位置する側の端部２６ａとのＹ軸方向の長さＬ２０は、例えば３０ｍｍである。接続部構成領域２６は、第四の外側板構成領域２４４と接続部構成領域２６との境界部分である第三の境界部分２４Ｃにおいて、第二の被覆層４３のみで第四の外側板構成領域２４４と接続されている。このため、接続部構成領域２６は、第二の被覆層４３を内側にして、第三の境界部分２４Ｃで折り曲げることができる。端部２６ａにおいて、内部空間配置領域２７は、第二の被覆層４３のみで接続部構成領域２６と接続されている。このため、内部空間配置領域２７は、第二の被覆層４３を内側にして、端部２６ａで折り曲げることができる。
【００３７】
Ｚ軸方向から平面的に見て、内部空間配置領域２７の外形形状は、略矩形状である。本実施の形態においては、内部空間配置領域２７の接続部構成領域２６が位置する側とは反対側の端部２７ａと、接続部構成領域２６が位置する側の端部２７ｂとのＹ軸方向の長さＬ２１は、長さＬ１７と同じである。なお、長さＬ２１は、長さＬ１７よりもやや短くてもよい。内部空間配置領域２７は、Ｘ軸方向の両端側に位置し、接続部構成領域２６に連なって形成されており、Ｘ軸方向の両端からそれぞれＸ軸方向に突出する一対の突出部２７６、２７７を含む。本実施の形態において、突出部２７６、２７７のＸ軸方向に長さＬ２３は、厚みＳ１よりもやや長い。なお、長さＬ２３は、厚みＳ１と同じ長さであってもよい。本実施の形態において、突出部２７６、２７７のＹ軸方向の長さＬ２４は、例えば２５ｍｍである。
【００３８】
内部空間配置領域２７は、接続部構成領域２６が位置する端部側に配置されている第一の部分４０１と、第一の外側板構成領域２４１が位置する側に配置されている第二の部分４０２と、接続部構成領域２６が位置する側とは反対側の端部側に配置されている第三の部分４０３と、第三の外側板構成領域２４３が位置する側に配置されている第四の部分４０４と、を含む。本実施の形態において、第一の部分４０１のＸ軸方向の両端の間の長さＬ２は、例えば２００ｍｍである。内部空間配置領域２７には、第一の部分４０１と、第二の部分４０２と、第三の部分４０３と、第四の部分４０４とで囲まれ、Ｚ軸方向に貫通する貫通孔２７２が形成されている。第二の部分４０２のＹ軸方向の中央には、貫通孔２７１が形成されている側に配置され、第二の被覆層４３のみで第二の部分４０２と接続される扉部２７５が設けられている。扉部２７５は、Ｚ軸方向に折り曲げることができる。同様に、第四の部分４０４のＹ軸方向の中央には、貫通孔２７１が形成されている側に配置され、第二の被覆層４３のみで第四の部分４０４と接続される扉部２７４が設けられている。扉部２７４は、Ｚ軸方向に折り曲げることができる。第三の部分４０３には、Ｙ軸方向であって、貫通孔２７１が形成されている側に突出する３つの突出部２７８ｄ、２７８ｅ、２７８ｆが所定の間隔をあけてＸ軸方向に並んで形成されている。第三の部分４０３には、外方側に形成されており、Ｙ軸方向に凹んだ４つの貫通孔２７２ａ、２７２ｂ、２７２ｃ、２７２ｄが形成されている。
【００３９】
内側板構成領域２５は、第一の内側板構成領域２５１と、第二の内側板構成領域２８１と、第三の内側板構成領域２５２と、第四の内側板構成領域２８２と、を含む。第一の内側板構成領域２５１と、第三の内側板構成領域２５２とは、対をなし、図２に示すように基準線Ｇを基準として線対称となるように配置されている。図１１は、第一の内側板構成領域２５１および第二の内側板構成領域２８１を示す概略平面図である。
【００４０】
図１および図１１を参照して、第一の内側板構成領域２５１は、Ｚ軸方向から平面的に見て、略矩形状である。第一の内側板構成領域２５１の第一の外側板構成領域２４１が位置する側の端部２５１ａと、第一の外側板構成領域２４１が位置する側とは反対側の端部２５１ｂとのＹ軸方向の長さＬ２５は、長さＬ３と同じである。第一の内側板構成領域２５１の第二の外側板構成領域２４２および天板構成領域２３が位置する側の端部２５１ｃと、第二の外側板構成領域２４２および天板構成領域２３が位置する側とは反対側の端部２５１ｄとのＸ軸方向の長さＬ２６は、長さＬ４より厚みＳ１分だけ短い。第一の内側板構成領域２５１は、第一の内側板構成領域２５１と第一の外側板構成領域２４１との境界部分である第二の境界部分２４Ｂにおいて、第二の被覆層４３のみで第一の外側板構成領域２４１と接続されている。なお、突出部５２が設けられている領域に対応する部分では、第一の被覆層４２、断熱部材４１および第二の被覆層４３は切断されている。第一の内側板構成領域２５１は、第二の外側板構成領域２４２および天板構成領域２３のＸ軸方向下方側の位置に隣り合うようにして配置される。第一の内側板構成領域２５１と、第二の外側板構成領域２４２および天板構成領域２３との境界部分では、第一の被覆層４２、断熱部材４１および第二の被覆層４３は切断されている。このため、第一の内側板構成領域２５１は、第二の境界部分２４Ｂで折り曲げて、第一の外側板構成領域２４１に重なるようにすることができる。
【００４１】
第一の内側板構成領域２５１の第一の外側板構成領域２４１が位置する側とは反対側の端部２５１ｂのＸ軸方向の中央には、Ｙ軸方向に突出する突起部３１２が形成されている。突起部３１２は、Ｚ軸方向から平面的に見て、３本の直交する直線から構成されている。突起部３１２は、端部２５１ｃからＸ軸方向に長さＬ２７の位置に形成されている。本実施の形態において、長さＬ２７は、長さＬ５と同じである。本実施の形態において、突起部３１２のＸ軸方向の長さＬ２８は、長さＬ６と同じである。なお、長さＬ２８は、長さＬ６よりもやや短くてもよい。突起部３１２は、端部２５１ｂから厚みＳ１分だけ突出している。このような構成とすることで、第一の内側板構成領域２５１を折り曲げた際に、第一の内側板構成領域２５１の突起部３１２は、第一の外側板構成領域２４１の突出部５１が位置する領域に重ねられる。
【００４２】
端部２５１ｂから長さＬ３３の位置にＸ軸方向に凹んだ第一の切り欠き部３１７が形成されている。本実施の形態において、第一の切り欠き部３１７を規定する底部３１７ａのＹ軸方向の長さＬ３０は、厚みＳ１と同じ長さである。長さＬ３０は、厚みＳ１よりやや長い長さであってもよい。第一の切り欠き部３１７は、第一の内側板構成領域２５１の第二の外側板構成領域２４２および天板構成領域２３が位置する側とは反対側の端部２５１ｄからＸ軸方向に長さＬ３２だけ凹んでいる。第一の切り欠き部３１７と端部２５１ｂとの間であって、端部２５１ｂに連なるようにして、端部２５１ｄから厚みＳ１だけ凹んだ凹部３１６が形成されている。このような構成とすることで、接続部構成領域２６および内部空間配置領域２７を折り曲げた際に、凹部３１６に接続部構成領域２６を嵌め込み、内部空間配置領域２７に形成されている突出部２７７を第一の切り欠き部３１７に嵌め込むことができる。なお、第一の切り欠き部３１７は、凹部３１６が形成されている側の領域において、外方側に向って開口が広くなる傾斜部３１８が形成されている。このように傾斜部３１８が形成されていることで、突出部２７７を第一の切り欠き部３１７に容易に嵌め込むことができる。
【００４３】
第二の内側板構成領域２８１は、Ｚ軸方向から平面的に見て、略矩形状である。本実施の形態において、第二の内側板構成領域２８１の第一の外側板構成領域２４１が位置する側とは反対側の端部２８１ａと、第一の外側板構成領域２４１が位置する側の端部２８１ｂとのＹ軸方向の長さＬ３４は、例えば、１０８ｍｍである。本実施の形態において、第二の内側板構成領域２８１の第四の外側板構成領域２４４が位置する側の端部２８１ｃと、第四の外側板構成領域２４４が位置する側とは反対側の端部２８１ｄとのＸ軸方向の長さＬ３５は、長さＬ１７と同じである。なお、長さＬ３５は、長さＬ１７よりやや短くてもよい。第二の内側板構成領域２８１は、第二の内側板構成領域２８１と第一の外側板構成領域２４１との境界部分である第二の境界部分２４Ｂにおいて、第二の被覆層４３のみで第一の外側板構成領域２４１と接続されている。なお、突出部５１が設けられている領域に対応する部分では、第一の被覆層４２、断熱部材４１および第二の被覆層４３は切断されている。第二の内側板構成領域２８１は、第四の外側板構成領域２４４のＸ軸方向下方側の位置に隣り合うようにして配置される。第二の内側板構成領域２８１と、第四の外側板構成領域２４４との境界部分では、第一の被覆層４２、断熱部材４１および第二の被覆層４３は切断されている。このような構成とすることで、第二の内側板構成領域２８１は、第二の境界部分２４Ｂで折り曲げることができる。
【００４４】
第二の内側板構成領域２８１の第一の外側板構成領域２４１が位置する側とは反対側の端部２８１ａには、Ｙ軸方向に凹んだ２つの嵌め込み凹部３２１、３２２がＸ軸方向に間隔をあけて形成されている。嵌め込み凹部３２１は、開口部に向って開口幅が狭くなるテーパー状に凹んだ形状である。すなわち、嵌め込み凹部３２１を規定する側壁部３２１ｂの開口部のＸ軸方向の長さＬ３７は、側壁部３２１ｂの一方の端部側に配置される底部３２１ａのＸ軸方向の長さＬ３６よりも短く形成されている。なお、嵌め込み凹部３２２は、嵌め込み凹部３２１と同様の形状である。第二の内側板構成領域２８１を端部２４１ａで折り曲げると、第二の内側板構成領域２８１の第一の外側板構成領域２４１が位置する側の端部２８１ｂには、突出部５１の形状に対応する凹部３２３が形成される。そうすると、第一の内側板構成領域２５１を端部２４１ｂで折り曲げると、第一の内側板構成領域２５１に形成されている突起部３１２は、凹部３２３に嵌め込むことができる。
【００４５】
図１２は、第三の内側板構成領域２５２および第四の内側板構成領域２８２を示す概略平面図である。第四の内側板構成領域２８２と、第二の内側板構成領域２８１とは、ほぼ同じ形状である。以下には、第四の内側板構成領域２８２の第二の内側板構成領域２８１と異なる部分について説明する。図１２を参照して、第四の内側板構成領域２８２の第三の外側板構成領域２４３が位置する側とは反対側の端部２８２ａと、第三の外側板構成領域２４３が位置する側の端部２８２ｂとのＹ軸方向の長さＬ３８は、長さＬ３４とを併せると、長さＬ２と同じである。端部２８２ａには、Ｙ軸方向に突出した２つの嵌め込み部３４１、３４２がＸ軸方向に間隔をあけて形成されている。嵌め込み部３４１、３４２は、Ｙ軸方向に向かって外径が大きくなるように突出した形状である。すなわち、嵌め込み部３４１の第四の内側板構成領域２８２の本体部３４４が位置する側とは反対側の端部３４１ａのＸ軸方向の長さＬ３８は、本体部３４４が位置する側の端部３４１ｂのＸ軸方向の長さＬ３９よりも長く形成されている。本実施の形態においては、長さＬ３８は長さＬ３６よりもやや短い。なお、長さＬ３８は、長さＬ３６と同じであってもよい。本実施の形態においては、長さＬ３９は、長さＬ３７よりもやや短い。なお、長さＬ３９は、長さＬ３７と同じであってもよい。
【００４６】
保温構造体２は、保持部３１と、仕切り状態維持部３６、立設状態維持部３７と、を含む。図１、図１１および図１２を参照して、保持部３１は、内側板構成領域２５が外側板構成領域２４に重ねられた状態を保持する。本実施の形態において保持部３１は、第一の内側板構成領域２５１の突起部３１２と、第三の内側板構成領域２５２の突起部３３２と、突起部３１２を受け入れる凹部３２３と、突起部３３２を受け入れる凹部３４３と、を含む。突起部３１２と凹部３２３とにより、第一の内側板構成領域２５１が第一の外側板構成領域２４１に重ねられた状態を保持する。突起部３３２と凹部３４３とにより、第三の内側板構成領域２５２が第三の外側板構成領域２４３に重ねられた状態が保持できる。
【００４７】
保持部３１は、第四の内側板構成領域２８２に形成されている嵌め込み部３４１、３４２と、嵌め込み部３４１を受け入れる嵌め込み凹部３２１と、嵌め込み部３４２を受け入れる嵌め込み凹部３２２と、を含む。嵌め込み部３４１、３４２と、嵌め込み凹部３２１、３２２とにより、第二の内側板構成領域２８１および第四の内側板構成領域２８２が第四の外側板構成領域２４４に重ねられた状態が保持できる。
【００４８】
仕切り状態維持部３６は、内部空間配置領域２７が保温箱１の内部の空間を仕切る状態を維持する。本実施の形態において仕切り状態維持部３６は、仕切り構成領域における突出部２７６、２７７と、第一の内側板構成領域２５１に形成されている第一の切り欠き部３１７と、第三の内側板構成領域２５２に形成されている第二の切り欠き部３３７と、を含む。突出部２７６、２７７と、第一の切り欠き部３１７と、第二の切り欠き部３３７とにより、内部空間配置領域２７が保温箱１の内部の空間を仕切る状態が維持できる。
【００４９】
立設状態維持部３７は、外側板構成領域２４を第一の境界部分２４Ａで折り曲げた際に、外側板構成領域２４が底板構成領域２１に対して立設した状態を維持する。本実施の形態において、第二の内側板構成領域２８１に形成される嵌め込み凹部３２１、３２２と、第四の内側板構成領域２８２に設けられる嵌め込み部３４１、３４２とは、立設状態維持部３７でもある。嵌め込み凹部３２１、３２２と嵌め込み部３４１、３４２とにより、第一の外側板構成領域２４１および第三の外側板構成領域２４３が底板構成領域２１に対して立設した状態が維持できる。
【００５０】
次に、この発明の一実施形態に係る保温構造体２を保温箱１に組み立てる手順の一例について説明する。図１３は、保温構造体２を保温箱１に組み立てる際の工程を示すフローチャートである。
【００５１】
図１３を参照して、まず、図１に示す形状の保温構造体２を準備し、第一の内側板構成領域２５１および第三の内側板構成領域２５２を折り曲げる（図１３において、ステップＳ１１、以下、「ステップ」を省略する）。図１４は、保温構造体２の第一の内側板構成領域２５１および第三の内側板構成領域２５２を折り曲げた状態の中間体を示す斜視図である。図１および図１４を参照して、第一の内側板構成領域２５１を第二の境界部分２４Ｂで矢印Ｒ１の方向に折り曲げる。このようにして、第一の内側板構成領域２５１は、第一の外側板構成領域２４１に重なるように配置される。同様に、第三の内側板構成領域２５２を第二の境界部分２４Ｂで矢印Ｒ２の方向に折り曲げて、第三の内側板構成領域２５２は第三の外側板構成領域２４３に重なるように配置される。この時に、第一の外側板構成領域２４１の突出部５２と、第三の外側板構成領域２４３の突出部７２とが表れる。
【００５２】
図１５は、第一の外側板構成領域２４１および第二の外側板構成領域２４２を立設させた状態の中間体を示す斜視図である。図１４および図１５を参照して、第一の外側板構成領域２４１および第三の外側板構成領域２４３が折り曲げられる（Ｓ１３）。より具体的には、第一の外側板構成領域２４１および第三の外側板構成領域２４３を第一の境界部分２４Ａでそれぞれ矢印Ｒ５、Ｒ６の方向に立設させながら折り曲げて、第二の内側板構成領域２８１の嵌め込み凹部３２１、３２２に第四の内側板構成領域２８２の嵌め込み部３４１、３４２を嵌め込む。このときに、第二の内側板構成領域２８１に形成される凹部３２３に第一の内側板構成領域２５１の突起部３１２が嵌め込まれる。同様に、第四の内側板構成領域２８２に形成されている凹部３４３に第三の内側板構成領域２５２の突起部３３２が嵌め込まれる。立設状態維持部３７としての嵌め込み凹部３２１、３２２と、嵌め込み部３４１、３４２とにより、第一の外側板構成領域２４１および第三の外側板構成領域２４３が底板構成領域２１に対して垂直に立設した状態が維持できる。また、保持部３１としての突起部３１２と、凹部３２３とにより、第一の内側板構成領域２５１の折り曲げ方向Ｒ１への移動が規制され、第一の内側板構成領域２５１が第一の外側板構成領域２４１に重ねられた状態が維持できる。保持部３１としての突起部３３２と、凹部３４３とにより、第三の内側板構成領域２５２の折り曲げ方向Ｒ２への移動が規制され、第三の内側板構成領域２５２が第三の外側板構成領域２４３に重ねられた状態が維持できる。
【００５３】
図１６は、第二の内側板構成領域２８１および第四の内側板構成領域２８２が折り曲げられた状態の中間体を示す斜視図である。図１６を参照して、第二の内側板構成領域２８１の嵌め込み凹部３２１、３２２と、第四の内側板構成領域２８２の嵌め込み部３４１、３４２とが嵌め合うことで、第二の内側板構成領域２８１と第四の内側板構成領域２８２とが面一となっている。第二の内側板構成領域２８１に形成される凹部３２３に第一の内側板構成領域２５１の突起部３１２が嵌め込まれることで、第一の内側板構成領域２５１は第二の内側板構成領域２８１に当接している。同様に、第四の内側板構成領域２８２に形成される凹部３４３に第三の内側板構成領域２５２の突起部３３２が嵌め込まれることで、第三の内側板構成領域２５２は第四の内側板構成領域２８２に当接している。理解の容易の観点から一点鎖線で示す領域Ｖが、第四の内側板構成領域２８２に形成される凹部３４３に第三の内側板構成領域２５２の突起部３３２が嵌め込まれている領域である。
【００５４】
図１７は、内部空間配置領域２７が折り曲げられた状態の中間体を示す斜視図である。図１６、図１７を参照して、第四の外側板構成領域２４４を折り曲げる（Ｓ１３）。より具体的には、第四の外側板構成領域２４４を第一の境界部分２４Ａで矢印Ｒ７の方向に折り曲げながら、内部空間配置領域２７を折り曲げると共に、接続部構成領域２６を第三の境界部分２４Ｃで折り曲げる。この時、第四の外側板構成領域２４４は、第二の内側板構成領域２８１および第四の内側板構成領域２８２に重ねられる。また、内部空間配置領域２７の突出部２７７は、第一の内側板構成領域２５１に形成されている第一の切り欠き部３１７に嵌め込まれる。同様に、突出部２７６は、第三の内側板構成領域２５２に形成されている第二の切り欠き部３３７に嵌め込まれる。その結果、内部空間配置領域２７は底板構成領域２１に対して垂直に交わるように配置され、第四の外側板構成領域２４４、接続部構成領域２６および内部空間配置領域２７によって囲まれた空間Ｓが形成される。このように、保持部３１としての嵌め込み部３４１、３４２と、嵌め込み凹部３２１、３２２とにより、第二の内側板構成領域２８１および第四の内側板構成領域２８２が第四の外側板構成領域２４４に重ねられた状態が維持できる。また、仕切り状態維持部３６としての突出部２７６、２７７と、第一の切り欠き部３１７と、第二の切り欠き部３３７とにより、内部空間配置領域２７が保温箱１の内部の空間を仕切る状態が維持できる。なお、第一の切り欠き部３１７および第二の切り欠き部３３７には、テーパー状の傾斜部３１８、３３８が設けられている。このため、突出部２７６、２７７を容易に嵌め込むことができる。なお、図１７に示す第一の外側板構成領域２４１および第三の外側板構成領域２４３が底板構成領域２１に対して立設した状態において、収容されるべき物体を天板構成領域２３が位置する側から底板構成領域２１に配置するようにしてもよい。
【００５５】
図１７を参照して、第二の外側板構成領域２４２を折り曲げる（Ｓ１４）。より具体的には、第二の外側板構成領域２４２を第一の境界部分２４Ａで矢印Ｒ８の方向に折り曲げながら、天板構成領域２３を折り曲げる。この時に、第二の外側板構成領域２４２に形成される凹部６５には、第一の外側板構成領域２４１の突出部５２が嵌め込まれる。同様に、第二の外側板構成領域２４２に形成される凹部６６には、第三の外側板構成領域２４３の突出部７２が嵌め込まれる。そして、第一の外側板構成領域２４１に形成されている凹部５４には、天板構成領域２３の突出部２３１が嵌め込まれる。同様に、第三の外側板構成領域２４３に形成されている凹部７４には、天板構成領域２３の突出部２３２が嵌め込まれる。このようにして、図４に示す保温箱１が組み立てられる。
【００５６】
このような構成の保温構造体２によれば、第一の境界部分２４Ａで外側板構成領域２４を折り曲げ、第二の境界部分２４Ｂで内側板構成領域２５を折り曲げることで、容易に底板１１と側板１０とを含む箱の形状とすることができる。使用しない状態においては、薄い板状のまま複数枚を積み重ねることができ、かさばらないようにして効率的な保管を図ることができる。外側板構成領域２４と内側板構成領域２５とが重ねられた側板１０は、複数の板状部材から構成されているため、保温箱１の断熱性の向上を図ることができる。内側板構成領域２５は、保持部３１によって重ねられた状態が保持されているため、保温箱１の内部空間に収容される物体と側板１０との干渉を避けることができる。このような保温構造体２は、第一の境界部分２４Ａおよび第二の境界部分２４Ｂについて第二の被覆層４３を残しながら、保温構造体２の外形形状の全体を切り落とすようにして、刃を有する部材で板厚方向に打ち抜いて製造することができる。したがって、製造工程の簡略化を図ることができ、製造コストの低減を図ることができる。その結果、このような保温構造体２は、効率的な保管を図ることができると共に断熱性の向上を図ることができ、製造コストの低減を実現することができる。
【００５７】
図１８は、保温構造体２を保管するために折り畳んだ状態の一例を示す斜視図である。図１および図１８を参照して、底板構成領域２１と第二の外側板構成領域２４２との第一の境界部分２４Ａで第二の外側板構成領域２４２を折り曲げる。次に、第一の外側板構成領域２４１と第一の内側板構成領域２５１との第二の境界部分２４Ｂで第一の内側板構成領域２５１を折り曲げる。次に、第三の外側板構成領域２４３と第三の内側板構成領域２５２との第二の境界部分２４Ｂで第三の内側板構成領域２５２を折り曲げる。その結果、図１８に示すように折り畳まれた状態の保温構造体２を形成することができる。このような構成とすることで、保温構造体２をより省スペースに保管することができる。
【００５８】
図１９は、扉部２７４が開いた状態を示す斜視図である。なお、上記実施の形態においては、内部空間配置領域２７には貫通孔２７２が形成されている。さらに、内部空間配置領域２７には貫通孔２７２ａ、２７２ｂ、２７２ｃ、２７２ｄが形成されている。このような構成とすることで、例えば、空間Ｓに保冷剤を配置し、保冷を要する物体を配置する領域と、保冷剤が配置される領域とを離隔して配置すると、保冷剤から発せられる冷気を、保冷を要する物体が収容される空間に送ることができる。内部空間配置領域２７には突出部２７８ｄ、２７８ｅ、２７８ｆが形成されている。このような構成とすることで、空間Ｓに配置される物体が空間Ｓから移動してしまうことを防止することができる。内部空間配置領域２７に設けられている扉部２７４、２７５を図１９に示すように開けることで、内部空間配置領域２７に形成されている貫通孔２７２のＹ軸方向から平面的に見た時の面積をより大きくすることができる。このため、例えば、空間Ｓに保冷剤を配置した場合には、扉部２７４、２７５を開閉することで保冷剤から送られる冷気の量を調整することができる。
【００５９】
なお、上記実施の形態においては、保持部３１は、第一の内側板構成領域２５１および第三の内側板構成領域２５２に設けられ、Ｙ軸方向に突出する突起部３１２、３３２と、突起部３１２、３３２を受け入れる受け入れ凹部としての凹部３２３、３４３と、を含む。このような構成とすることで、突起部３１２、３３２を凹部３２３、３４３に嵌め込むことにより、第一の内側板構成領域２５１および第三の内側板構成領域２５２が折り曲げ方向Ｒ１、Ｒ２に移動することを規制することができる。
【００６０】
なお、上記実施の形態においては、第四の外側板構成領域２４４における第二の境界部分２４Ｂとは異なる第三の境界部分２４Ｃにおいて第四の外側板構成領域２４４と第二の被覆層４３で接続されており、第三の境界部分２４Ｃで折り曲げた際に保温箱１の内部の空間を仕切る内部空間配置領域２７を含み、保温箱１の内部空間を仕切る仕切り構成領域２８を備える。このような構成とすることで、第三の境界部分２４Ｃで折り曲げた際に保温箱１の内部に内部空間配置領域２７によって仕切られた複数の領域を形成することができる。このため、仕切られた複数の空間にそれぞれ物体を入れることができる。また、保温構造体２として一体で製造されるため、円滑な組み立てが容易となる。
【００６１】
なお、上記実施の形態においては、保温箱１は、直方体形状であって、底板１１と対向する位置に配置される天板１６を含む。底板構成領域２１は、Ｚ軸方向から平面的に見て、矩形状に割り当てられており、外側板構成領域２４は、第一の外側板構成領域２４１と、第二の外側板構成領域２４２と、第三の外側板構成領域２４３と、第四の外側板構成領域２４４と、を含み、底板構成領域２１の各辺に相当する部分において、それぞれ第二の被覆層４３で接続されている。第一の内側板構成領域２５１は、第一の外側板構成領域２４１の第二の境界部分２４Ｂにおいて、第二の被覆層４３で接続されている。第三の内側板構成領域２５２は、第三の外側板構成領域２４３の第二の境界部分２４Ｂにおいて、第二の被覆層４３で接続されている。このような構成とすることで、保温構造体２を箱状に折り曲げた際に、物体を収容することができる十分な空間を内部に形成することができる。
【００６２】
なお、上記実施の形態において、外側板構成領域２４は、第一の外側板構成領域２４１、第二の外側板構成領域２４２、第三の外側板構成領域２４３、および第四の外側板構成領域２４４のそれぞれを第一の境界部分２４Ａで折り曲げた際に、第一の外側板構成領域２４１と第三の外側板構成領域２４３とが対向すると共に、第二の外側板構成領域２４２と第四の外側板構成領域２４４とが対向するように配置されている。内側板構成領域２５は、第一の外側板構成領域２４１の第二の境界部分２４Ｂにおいて、第一の外側板構成領域２４１と第二の被覆層４３で接続され、第二の境界部分２４Ｂで折り曲げた際に第一の外側板構成領域２４１に対して保温箱１の内側で重なるように配置される第一の内側板構成領域２５１と、第三の外側板構成領域２４３の第二の境界部分２４Ｂにおいて、第三の外側板構成領域２４３と第二の被覆層４３で接続され、第二の境界部分２４Ｂで折り曲げた際に第三の外側板構成領域２４３に対して保温箱１の内側で重なるように配置される第三の内側板構成領域２５２と、を含む。このような構成とすることで、２つの側板１０において外側板構成領域２４と内側板構成領域２５とが重ねられた配置状態とすることができる。このため、保温箱１の断熱性をより向上させることができる。
【００６３】
なお、上記実施の形態においては、保温構造体２において、外側板構成領域２４は、第一の外側板構成領域２４１、第二の外側板構成領域２４２、第三の外側板構成領域２４３、および第四の外側板構成領域２４４のそれぞれを第一の境界部分２４Ａで折り曲げた際に、第一の外側板構成領域２４１と第三の外側板構成領域２４３とが対向すると共に、第二の外側板構成領域２４２と第四の外側板構成領域２４４とが対向するように配置されている。内側板構成領域２５は、第一の外側板構成領域２４１の第二の境界部分２４Ｂにおいて、第一の外側板構成領域２４１と第二の被覆層４３で接続され、第二の境界部分２４Ｂで折り曲げた際に第四の外側板構成領域２４４に対して保温箱１の内側で重なるように配置される第二の内側板構成領域２８１と、第三の外側板構成領域２４３の第二の境界部分２４Ｂにおいて、第三の外側板構成領域２４３と第二の被覆層４３で接続され、第二の境界部分２４Ｂで折り曲げた際に第四の外側板構成領域２４４に対して保温箱１の内側で重なるように配置される第四の内側板構成領域２８２と、を含む。立設状態維持部３７は、第二の内側板構成領域２８１および第四の内側板構成領域２８２に形成されており、嵌め合うことで第一の外側板構成領域２４１および第三の外側板構成領域２４３を底板構成領域２１に対して立設させた状態を維持する凹凸構造を含む。凹凸構造は、嵌め合うことで第二の内側板構成領域２８１および第四の内側板構成領域２８２を第四の外側板構成領域２４４に重ねた配置状態を保持する保持部３１を兼ねている。凹凸構造を嵌め合わせるにより、第一の外側板構成領域２４１および第三の外側板構成領域２４３が底板構成領域２１に対して立設した一定の形態を維持することができると共に、第二の内側板構成領域２８１および第四の内側板構成領域２８２が第四の外側板構成領域２４４に重ねられた配置状態を保持することができる。このため、側板１０の一部を立設した状態を維持しながら、保温箱１の内部空間に収容されるべき物体を円滑に収容させることができる。また、保温箱１の内部空間に収容される物体と側板１０との干渉を防ぎつつ、保温箱１の断熱性を向上させることができる。
【００６４】
なお、上記の実施の形態においては、断熱部材４１は発泡部材としたが、これに限られるものではなく、断熱部材４１は、段ボール等であってもよい。
【００６５】
なお、上記の実施の形態において、第一の被覆層４２および第二の被覆層４３は紙としたが、これに限られるものではなく、第一の被覆層４２および第二の被覆層４３は樹脂フィルムであってもよい。樹脂フィルムとしては、例えばポリプロピレンフィルム等である。また、第一の被覆層４２および第二の被覆層４３は、紙に樹脂フィルムが貼り合わせられた積層体であってもよく、例えばクラフト紙にポリプロピレンフィルムが貼り合わせられた積層体等が挙げられる。
【００６６】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６７】
本願の保温構造体は、効率的な保管を図ることができると共に断熱性の向上を図ることができ、製造コストの低減を実現することが求められる場合に、特に有利に適用され得る。
【符号の説明】
【００６８】
１  保温箱、２  保温構造体、１０  側板、１１  底板、１２  第一の側板、１３  第二の側板、１４  第三の側板、１５  第四の側板、１６  天板、２１  底板構成領域、２２  側板構成領域、２３  天板構成領域、２３ａ，２３ｂ，２６ａ，２６ｂ，２７ａ，２７ｂ，２４１ａ，２４１ｂ，２４１ｃ，２４１ｄ，２４２ａ，２４２ｂ，２４２ｃ，２４２ｄ，２４３ａ，２４３ｂ，２４３ｄ，２４４ａ，２４４ｂ，２５１ａ，２５１ｂ，２５１ｃ，２５１ｄ，２８１ａ，２８１ｂ，２８１ｃ，２８１ｄ，２８２ａ，２８２ｂ，３４１ａ，３４１ｂ  端部、２４  外側板構成領域、２４Ａ  第一の境界部分、２４Ｂ  第二の境界部分、２４Ｃ  第三の境界部分、２５  内側板構成領域、２６  接続部構成領域、２７  内部空間配置領域、２８  仕切り構成領域、３１  保持部、３６  仕切り状態維持部、３７  立設状態維持部、４１  断熱部材、４２  第一の被覆層、４３  第二の被覆層、５１，５２，７１，７２，２３１，２３２，２７６，２７７，２７８ｄ  突出部、５４，６５，６６，７４，３１６，３２３，３４３  凹部、２１１  第一の辺、２１２  第二の辺、２１３  第三の辺、２１４  第四の辺、２４１  第一の外側板構成領域、２４２  第二の外側板構成領域、２４３  第三の外側板構成領域、２４４  第四の外側板構成領域、２５１  第一の内側板構成領域、２５２  第三の内側板構成領域、２７１，２７２，２７２ａ  貫通孔、２７４，２７５  扉部、２８１  第二の内側板構成領域、２８２  第四の内側板構成領域、３１２，３３２  突起部、３１７  第一の切り欠き部、３１７ａ，３２１ａ，５４１，６５１  底部、３１８、３３８  傾斜部、３２１，３２２  嵌め込み凹部、３２１ｂ  側壁部、３３７  第二の切り欠き部、３４１，３４２  嵌め込み部、３４４  本体部、４０１  第一の部分、４０２  第二の部分、４０３  第三の部分、４０４  第四の部分、４１１  第一の面、４１２  第二の面、４１３  面。
【図１】
2019196215.tif 000003
【図２】
2019196215.tif 000004
【図３】
2019196215.tif 000005
【図４】
2019196215.tif 000006
【図５】
2019196215.tif 000007
【図６】
2019196215.tif 000008
【図７】
2019196215.tif 000009
【図８】
2019196215.tif 000010
【図９】
2019196215.tif 000011
【図１０】
2019196215.tif 000012
【図１１】
2019196215.tif 000013
【図１２】
2019196215.tif 000014
【図１３】
2019196215.tif 000015
【図１４】
2019196215.tif 000016
【図１５】
2019196215.tif 000017
【図１６】
2019196215.tif 000018
【図１７】
2019196215.tif 000019
【図１８】
2019196215.tif 000020
【図１９】
2019196215.tif 000021